【手続補正書】
【提出日】平成20年5月19日(2008.5.19)
【手続補正１】
【補正対象書類名】明細書
【補正対象項目名】特許請求の範囲
【補正方法】変更
【補正の内容】
【特許請求の範囲】
【請求項１】  水栓設置面より突出する吐水管の下流側の一端に吐水口を備え、該吐水管のうち、下流側の一端に近接する部分に、流量調整手段と吐水温度調整手段とを備える水栓において、前記流量調整手段と前記吐水温度調整手段とをそれぞれ独立別個に配設すると共に、前記吐水管は自在回動部を有し、前記吐水温度調整手段および前記流量調整手段はそれぞれ回動軸を有するとともに該それぞれの回動軸を中心に回動することで吐水温度調整および流量調整を行うものであり、前記吐水温度調整手段および前記流量調整手段のそれぞれの回動軸を、前記自在回動部の回動軸と、前記吐水管における該回動軸上端から吐水口先端へ向かうベクトルとに、ともに略垂直に配したことを特徴とする湯水混合水栓。
【請求項２】  前記吐水管の自在回動軸は鉛直方向に平行であり、前記吐水温度調整手段および前記流量調整手段のそれぞれの回動軸は水平面に平行であるとともに、前記吐水温度調整手段および前記流量調整手段を略対向する位置に配置したことを特徴とする請求項１に記載の湯水混合水栓。
【請求項３】  前記吐水管は、前記流量調整手段と前記吐水温度調整手段とが配設される部分よりも上流部であって、前記流量調整手段と前記吐水温度調整手段とが配設される部分よりも上方に位置する部分を有することを特徴とする請求項１又は２に記載の湯水混合水栓。
【請求項４】  一方に湯水流入口が形成され、他方に混合水流出口が形成されるとともに、周方向に回動自在であって軸方向に進退自在であるシリンダ状の弁体を備え、前記弁体の周方向または軸方向の動きに伴って、流量または吐水温度のどちらか一方の調整を行うことを特徴とする請求項１又は２に記載の湯水混合水栓。
【請求項５】  それぞれ独立した湯流入穴と水流入穴とが形成されたシートパッキンと、少なくとも一箇所の孔からなる湯水流入口と少なくとも一箇所の孔からなる混合水流出口とが形成され、前記シートパッキンに摺動自在に当接するシリンダ状の弁体と、
一端は前記流量調整手段に結合され回動自在であるとともに、他端は前記弁体との係合部を有し、該係合部において前記弁体に回動のみの動きを伝達する流量調整スピンドルと、
一端は前記吐水温度調整手段に結合され、回動自在である温度調整スピンドルと、
前記温度調整スピンドルとの間に設けられた螺旋結合部と回動を規制する規制手段とを有することで前記温度調整スピンドルの回動に連動し軸方向へ進退自在であるとともに、前記シリンダ状の弁体との嵌合部を有し、該嵌合部において前記弁体を周方向に対して回動自在と成し、前記弁体に軸方向のみの動きを伝達する軸方向移動部材とを有することを特徴とする請求項１又は２に記載の湯水混合水栓。
【手続補正２】
【補正対象書類名】明細書
【補正対象項目名】０００８
【補正方法】変更
【補正の内容】
【０００８】
【課題を解決するための手段および作用・効果】
本目的を達成するための第一の発明は、水栓設置面より突出する吐水管の下流側の一端に吐水口を備え、該吐水管のうち、下流側の一端に近接する部分に、流量調整手段と吐水温度調整手段とを備える水栓において、前記流量調整手段と前記吐水温度調整手段とをそれぞれ独立別個に配設すると共に、前記吐水管は自在回動部を有し、前記吐水温度調整手段および前記流量調整手段はそれぞれ回動軸を有するとともに該それぞれの回動軸を中心に回動することで吐水温度調整および流量調整を行うものであり、前記吐水温度調整手段および前記流量調整手段のそれぞれの回動軸を、前記自在回動部の回動軸と、前記吐水管における回動軸上端から吐水口先端へ向かうベクトルとに、ともに略垂直に配したことを特徴とした。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
更に、吐水管が回動することに伴い、以下の効果が得られる。すなわち、特に台所の水栓においては吐水管に自在回動部を有しているのが一般的である。これは、当然に、吐水管を回動させることにより吐水口の位置、すなわち吐水の位置を作業状況に応じて適切に選択するためである。また、吐水温度調整手段および流量調整手段等の操作手段（ハンドル）は回動軸を有し該回動軸を中心に回動することで吐水温度調整および流量調整を行うものが一般的である。これは一般的なバルブ内部構造に起因する。なお、これら回動の操作性の向上の為にレバー状の突起（以下単に、レバー）を各調整手段に前記回動軸に略垂直に立ち上がるように設け、レバー部先端の操作のみで容易に操作できるよう配慮されたものが一般的である。操作に要するトルクの低減等をねらったものである。これらの場合において、前記吐水温度調整手段および前記流量調整手段のそれぞれの回動軸を、前記自在回動部の回動軸と、前記吐水管における回動軸上端から吐水口先端へ向かうベクトルとに、ともに略垂直に配したことで、前記レバー部先端を持って操作する場合にも吐水管の回動方向にトルクは作用しない。すなわち、レバー先端に荷重をかけて調整手段の回動をする場合、吐水管の自在回動軸と調整手段の回動軸が平行であると、レバー先端にかけた荷重は、吐水管の自在回動方向にも作用してしまう。また、吐水管先端部は使用者の側に突出しているのが普通であるが、この吐水管の突出方向と、調整手段の回動軸が平行であると、やはり調整手段のレバー先端にかけた荷重は、吐水管の自在回動方向にも作用してしまう。これらは、上記部分をいずれも垂直に配することによって、レバー先端に荷重をかけた場合にも、吐水管の自在回動方向には荷重が作用しない様に構成することができる。このため、従来の技術の中で述べた通り、吐水温度調整時等に吐水管が勝手に回動してしまい所望の吐水位置からのずれが生じてしまうという不具合は生じない。吐水温度調整時等に吐水管が勝手に回動してしまうのを防止する為、慎重に前記操作したり、もう一方の手で吐水管を保持しながら吐水温度調整操作等を行うという事態は生じない。
【手続補正５】
【補正対象書類名】明細書
【補正対象項目名】００１２
【補正方法】変更
【補正の内容】
【００１２】
また第二の発明は、第一の発明の湯水混合水栓において、前記吐水管の自在回動軸は鉛直方向に平行であり、前記吐水温度調整手段および前記流量調整手段のそれぞれの回動軸は水平面に平行であるとともに、前記吐水温度調整手段および前記流量調整手段を略対向する位置に配置したことを特徴とした。
【手続補正６】
【補正対象書類名】明細書
【補正対象項目名】００１３
【補正方法】変更
【補正の内容】
【００１３】
この第二の発明により、以下の効果が得られる。すなわち、水栓設置面は、鉛直面（いわゆる壁面）あるいは水平面（いわゆるカウンタ面、天井面）であり使用者に向かって正面に吐水口があるとともに、吐水管の自在回動軸は鉛直方向に平行である場合が一般的である。この場合、前記吐水温度調整手段および前記流量調整手段のそれぞれの回動軸が水平面に平行であるとともに、前記吐水温度調整手段および前記流量調整手段を略対向する位置に配置したことで、前記吐水温度調整手段および前記流量調整手段が使用者側へ突出すること無く使用者の作業空間の確保等の観点から望ましく構成できる。また、前記吐水温度調整手段および前記流量調整手段に前記回動軸に略垂直に立ち上がるようにレバーを設ければ、レバーの上下のみによる操作が可能であり、従来のシングルレバー混合栓の出し止めの操作同様に自然な操作で、容易に吐水温度調整および流量調整が可能となる。
【手続補正７】
【補正対象書類名】明細書
【補正対象項目名】００１４
【補正方法】変更
【補正の内容】
【００１４】
さらに第三の発明は、第一又は第二の発明の湯水混合水栓において、前記吐水管のうち、前記流量調整手段と前記吐水温度調整手段とが配設される部分よりも上流部であって、前記流量調整手段と前記吐水温度調整手段とが配設される部分よりも上方に位置する部分を有することを特徴とした。
【手続補正８】
【補正対象書類名】明細書
【補正対象項目名】００１５
【補正方法】変更
【補正の内容】
【００１５】
第三の発明により、以下の効果が得られる。すなわち、前記吐水管のうち、前記流量調整手段と前記吐水温度調整手段とが配設される部分よりも上流部であって、前記流量調整手段と前記吐水温度調整手段とが配設される部分よりも上方に位置する部分を有することにより、濡れた手で操作をした場合、あるいは汚れた操作部を水で洗い流した場合にも、水が吐水管を伝って水栓設置面のカウンタ面や壁面を濡らすことがなく掃除の頻度も少なくてすむため、使用者等の作業の負担を軽減できる。
【手続補正９】
【補正対象書類名】明細書
【補正対象項目名】００１６
【補正方法】変更
【補正の内容】
【００１６】
また第四の発明は、第一又は第二の発明の湯水混合水栓において、一方に湯水流入口が形成され、他方に混合水流出口が形成されるとともに、周方向に回動自在であって軸方向に進退自在であるシリンダ状の弁体を備え、前記弁体の周方向または軸方向の動きに伴って、流量または吐水温度のどちらか一方の調整を行うことを特徴とした。
【手続補正１０】
【補正対象書類名】明細書
【補正対象項目名】００１７
【補正方法】変更
【補正の内容】
【００１７】
さらに第五の発明は、第一又は第二の発明の湯水混合水栓において、それぞれ独立した湯流入穴と水流入穴とが形成されたシートパッキンと、少なくとも一箇所の孔からなる湯水流入口と少なくとも一箇所の孔からなる混合水流出口とが形成され、前記シートパッキンに摺動自在に当接するシリンダ状の弁体と、一端は前記流量調整手段に結合され回動自在であるとともに、他端は前記弁体との係合部を有し、該係合部において前記弁体に回動のみの動きを伝達する流量調整スピンドルと、一端は前記吐水温度調整手段に結合され、回動自在である温度調整スピンドルと、前記温度調整スピンドルとの間に設けられた螺旋結合部と回動を規制する規制手段とを有することで前記温度調整スピンドルの回動に連動し軸方向へ進退自在であるとともに、前記シリンダ状の弁体との嵌合部を有し、該嵌合部において前記弁体を周方向に対して回動自在と成し、前記弁体に軸方向のみの動きを伝達する軸方向移動部材とを有することを特徴とした。
【手続補正１１】
【補正対象書類名】明細書
【補正対象項目名】００１８
【補正方法】変更
【補正の内容】
【００１８】
第四および第五の発明により、以下の効果が得られる。すなわち、吐水管先端部に流量調整手段と吐水温度調整手段とを備える水栓においては、台所仕事などの作業空間の視界を妨げないよう吐水口先端部がコンパクトであることが望ましいが、本発明によれば、それぞれ独立に設けられた吐水温度調整手段、流量調整手段を備えながら、その内部弁機構において一つの弁体の変位により吐水温度調整、流量調整を行うことができ操作部のコンパクト化が可能となる。これにより吐水管の先端部が視界を妨げる不都合がなく、また先端部の重量が小さくできるため、吐水管基部に大きな負荷が作用し製品寿命に影響を及ぼす問題を回避できる。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】